(57)【特許請求の範囲】
【請求項１】
冷蔵庫において、
内部に保存空間が具備される本体と、
前記本体の前面に提供されて、前記保存空間を開閉するドアと、
前記保存空間に収容されて、氷を生成する製氷機と、
前記製氷機で生成される氷が保存されるアイスバンクと、
前記ドア内部に沿って延長される飲用水供給管と、
前記ドアの前方に突出可能に設置されて、少なくとも前記飲用水供給管の吐出端が提供される部材が含まれ、
前記部材の前面に提供されるカバー部がさらに含まれて、
前記部材が前記ドアの前方に突出されれば、前記飲用水供給管の吐出端が前記ドアの外部に露出して飲用水の取り出しが可能になるように形成されることを特徴とする冷蔵庫。
【請求項２】
飲用水の取り出しがない場合には、前記カバー部の前面は前記ドアの前面と同一平面をなすことを特徴とする請求項１に記載の冷蔵庫。
【請求項３】
前記部材に提供されるラックと、
前記ラックと噛合わされるピニオンと、及び
前記ピニオンを駆動する駆動モーターがさらに含まれる請求項２に記載の冷蔵庫。
【発明の詳細な説明】
【技術分野】
【０００１】
本発明は、冷蔵庫に関するもので、特に冷蔵庫の内部空間を最大に確保するようにする構造を持つ製氷装置のディスペンサーに関するものである。
【背景技術】
【０００２】
本出願は２００３年９月１７日に出願された韓国特許出願No.２００３−６４５０３号に基づき利益を主張しており、本明細書において十分に陳述されるように引用により開示する。
【０００３】
一般的に、冷蔵庫は冷蔵室と冷凍室で区分される。前記冷蔵室は３℃〜４℃程度に温度を維持して長期間食べ物また野菜の鮮度を維持する。前記冷凍室は長期間肉や魚を凍らせた状態に保ち、保存し、そして氷を作り保存ように０℃以下に温度を維持する。
【０００４】
最近の冷蔵庫は、従来の機能に加えて多様な付加機能が機能するよう開発されている。製氷機もそういった付加機能の一つである。
【０００５】
図１は、従来の冷蔵庫を概略的に示した図面であり、図２は、従来の製氷装置が備えられた冷蔵庫の内部を概略的に示した図面である。
また、図３は、従来の製氷装置の製氷機を概略的に示した図面、図４は前記製氷機から前記氷を排出する過程を示した図面、また、図５は従来の冷蔵庫用製氷装置のアイスバンクを示した図面である。
【０００６】
図１ないし図５を参照すれば、前記冷蔵庫の前記冷凍室の上部に製氷機１０が取付けられている。
前記製氷機１０は水を凍らせ、自動的に氷を排出する装置である。
【０００７】
従来の前記製氷機１０の構造は、製氷室１１、前記製氷室１１に水を供給するように前記製氷室１１の片側に形成された給水部１２、前記製氷室１１の外側に形成されたモーター（図示しない）を有するコントロール部１３、そして前記製氷室１１で製氷された前記氷をアイスバンク２０に排出させるイジェクトとからなっている。
【０００８】
前記製氷機１０の後側には、前記製氷機１０を前記冷蔵庫の前記冷凍室に連結するために連結部１５が形成されている。
【０００９】
前記製氷室１１は半円筒状からなり、所定の大きさの前記氷が作られるように、内部空間を分割する突起物１１ａを有する。
【００１０】
そして、前記イジェクト１４は、前記製氷室１１の中央を横切るように形成された軸と、前記イジェクト１４の軸側面に形成されたイジェクトフィン１４ａを備える。前記複数のイジェクトフィン１４ａは製造された前記氷をアイスバンク２０に排出する手段である。
【００１１】
前記イジェクトフィン１４ａの側傍には前記製造された氷が滑り落ちるようにスライディングバー１６が備えられている。
より詳しくは、前記イジェクトフィン１４ａによって移動した前記氷は、前記スライディングバー１６に置かれた後、前記スライディングバー１６に沿って滑り落ち製氷機の下部に形成された前記アイスバンク２０の内部に移動する。
【００１２】
図４は前記製氷機１０から前記アイスバンク２０に前記氷が排出される過程を示したものである。
前記製氷室１１下部にはヒーター１７が設けられている。前記氷を移動させるためには前記製氷室の表面から前記氷を分離する必要がある。前記ヒーター１７が前記製氷室１１の底面を加熱し、前記氷の移動のため、その表面を溶かすよう温度を上昇させる。
【００１３】
前記冷蔵庫の前記冷蔵庫のドア１には前記製氷機１０以外に前記アイスバンク２０とディスペンサー３０が備えられている。前記アイスバンク２０は前記製氷機１０で作られた前記氷を保管し、使用者が希望する時に前記氷を排出する装置である。
【００１４】
図５を参照すれば、前記アイスバンク２０は、アイスリムーバ２１、前記アイスリムーバを回転させるモーター２２、氷粉砕部２３、そして氷排出口２４を備える。
【００１５】
ねじ型に形成された前記アイスリムーバ２１は前記モーター２２が回転すれば、前記製氷機１０から供給された前記氷を前記氷粉砕部２３に移動させる。
【００１６】
前記氷粉砕部２３を通過した前記氷は、前記氷排出口２４を通じて前記ディスペンサー３０に排出される。
前記ディスペンサー３０は、排出通路３１と前記排出通路の下側に備えられた容器支持台３５からなる。
【００１７】
前記排出通路３１は、前記冷蔵庫ドア１の内壁に形成されている入口、前記ドアの外壁に形成されている出口、そして前記入口と前記出口とを連結するように貫通する管からなる。ここで前記排出通路の入口は出口より高い所に位置する。
【００１８】
そして、前記容器支持台３５は、前記排出通路出口の下側に提供される。 更に詳しくは、前記排出通路３１の出口下側のドア外壁に形成された垂直平面が四角形の溝からなる。
【００１９】
前記のような構成を有する前記製氷装置から前記氷を排出する過程は以下の通りである。
【００２０】
先ず、前記製氷機は、水供給管を通じて水の供給を受けて前記氷を作り、前記イジェクトを利用して前記製氷機の下部に備えた前記アイスバンクに氷を移動させる。
【００２１】
使用者が前記氷を希望する場合、前記氷を保管している前記アイスバンクは、前記氷排出通路を通じて前記氷を外部に排出する。
外部に排出された前記氷は、前記ドアの外壁に形成された溝からなる前記容器支持台の上にしっかりと備えられた容器に収容されて使用者に提供される。
【発明の概要】
【発明が解決しようとする課題】
【００２２】
しかし、前記製氷装置の前記ディスペンサーには次のような問題点がある。
第１に、前記ディスペンサーの前記容器支持台が前記冷蔵庫のドアの外壁に所定の深さの前記溝からなっている。従って前記ドアの厚さが所定以上にならなければならない。従って、前期冷蔵庫の前記内部空間を所定の大きさ以上に製造する場合、全体の大きさが大きくなるという問題点がある。
【００２３】
第２に、前記ディスペンサーの前記排出通路中の出口側が外部に露出し、そして汚物が積もり、その結果、外部に排出される前記氷が前記汚物に汚染される。
【００２４】
従って本発明は関連技術の制限や不利な点に対する１つ又は多くの問題を実質的に回避するような冷蔵庫の製氷機のディスペンサーを目的とする。
【００２５】
本発明の目的は、装置の内部空間を最大化するような製氷装置のディスペンサーを伴う氷の排出機能を有した装置を提供することである。
【００２６】
本発明の他の目的は、ディスペンサーの全体の大きさを最小化するような製氷機のディスペンサーを伴う氷を排出する機能を有する装置を提供することである。
【００２７】
本発明の更なる目的は、外部ケースの内側を外部から完全に単離させるような製氷機のディスペンサーを伴う氷を排出する機能を有する装置を提供することである。
【課題を解決するための手段】
【００２８】
後に続く記載に述べられている追加の利点、目的、及び特徴（機能）は、以下の考察において当業者には明らかであり、または発明の実行から学びうる。
添付の図面と同様に記載と請求項で書かれた中で特に示された構成により、十分に理解され、また達成される。
【００２９】
ここで具体化され、広く記述された本発明の目的に従い、これらの目的とほかの利点を成し遂げるため、本発明の製氷機のディスペンサーは、外部ケースの内部に提供された製氷機で作られた氷が外部に排出される通路に提供されるアイスシュート部と、前記アイスシュート部を通じて氷が外部に排出される場合に、前記外部ケースの外面に垂直に突出するように取り付けられ、前記アイスシュート部から排出された氷を収容する容器が取付けられた容器支持台を含めてなる。
【００３０】
前記アイスシュート部は、氷が排出されない時、閉じられ、外部には露出しない。
前記アイスシュート部は、前記外部ケース正面の内壁に形成される入口と前記外部ケース外壁方向に下向きに延長される通路を持つ第１シュートと、対角線に貫く第２シュートを有し、氷が排出される場合には前記第２シュートを前記第１シュートに連通するように、前記外部ケース正面に対して垂直前方に動き、氷が排出されない時には前記外部ケースに挿入されるスライディング部材を含めてなる。
【００３１】
前記スライディング部材は更に、底面に形成されるラックと、そして前記ラックの下部に設けられてラックと噛み合わされたピニオンから成る。
【００３２】
前記製氷装置のディスペンサーは、一端が前記スライディング部材の正面の下端に結合し、他側は上部に延長されて前記外部ケースの正面に固定されるカバー部を更に備える。
【００３３】
一方、前記アイスシュート部は、入口が前記外部ケースの内面に形成され、出口が前記外部ケースの外面に形成される氷排出管と、前記氷排出管の出口を開閉するように前記外部ケースに提供されるカバー部を備える。
【００３４】
ここで、前記カバー部は前記外部ケースの正面に連結される上端を中心に回転可能である。
また、前記カバー部は、前記氷排出管の前記出口側の通路内部に挿入されるように、前記氷排出管の出口部分に接触している部位に提供される補助管を備える。
【００３５】
前記補助管は、前記カバー部が上向き回転すれば氷が排出されるように、下部に氷通過ホールを備える。
【００３６】
前記容器支持台は氷が排出される場合、前記外部ケース外壁に垂直になるように下向きに回転される。前記容器支持台は上向きに回転しカバー部を覆う。
【００３７】
前記製氷装置のディスペンサーでは、前記容器支持台と前記カバー部を連結する連結部材を更に備える。
【００３８】
前記容器支持台は、前記アイスシュートを通じて氷が排出されない時には、前記外部ケースの壁に挿入される。
【００３９】
前記容器支持台は、下面に形成されるラックと、そして前記ラックに噛み合うピニオンから成る。
【００４０】
前記の構成とは反対に、前記容器支持台は、前記アイスシュート部の下側に提供され、前記外部ケースの正面外壁に繋がって回転可能な一端を有する。
【００４１】
前記容器支持台は氷が排出される場合、前記外部ケース正面に垂直になるよう下向きに回転される。
前記容器支持台は、氷を排出しない時、前記アイスシュート部を閉じる。
【００４２】
前記容器支持台は、 前記外部ケース外壁の末端に水平に設置される回転軸と、前記回転軸に備えられる被駆動ギアと、前記被駆動と噛み合わされる駆動ギアを備える。
【発明の効果】
【００４３】
上述した構造を持つ製氷装置のディスペンサーによって、冷蔵庫のような前記氷排出装置の内部空間が最大化、又は、全体の大きさが最小化される。
【００４４】
前述の概略説明及び以下の本発明の詳細な説明が例示的、説明的であり、そして主張のように、更なる発明を提供しうることが理解できるであろう。
【図面の簡単な説明】
【００４５】
【図１】一般的な冷蔵庫を概略的に示した概略図。
【図２】一般的な製氷装置が備えた冷蔵庫の内部を概略的に示した概略図。
【図３】一般的な製氷装置の製氷機を示した概略図。
【図４】製氷機から氷が排出される過程を示した図面。
【図５】一般的な冷蔵庫用製氷装置のアイスバンクを示した図面。
【図６】本発明の第１実施例による製氷装置のディスペンサーが備えられた冷蔵庫を示した図面。
【図７】本発明の第１実施例による製氷装置のディスペンサーを拡大して示した図面。
【図８】本発明の第１実施例による製氷装置のディスペンサーが氷を排出する状態を示した図面。
【図９】本発明の第２実施例による製氷装置のディスペンサーを示した図面。
【図１０】本発明の第２実施例による製氷装置のディスペンサーが氷を排出する状態を示した図面。
【図１１】本発明の第３実施例による製氷装置のディスペンサーが氷を排出する状態を示した図面。
【図１２】本発明の第４実施例による製氷装置のディスペンサーを示した図面。
【図１３】本発明の第４実施例による製氷装置のディスペンサーが氷を排出する状態を示した図面。
【図１４Ａ】本発明の第４実施例による連結部材を示した図面である。
【図１４Ｂ】本発明の第４実施例による連結部材を示した図面である。
【発明を実施するための形態】
【００４６】
添付の図面は発明の更なる理解を提供するように、本明細書の一部に組み込まれ、構成するようになり、発明の実施例を図示し、そして説明と共に発明の原則を説明しうる。
【００４７】
本発明の好ましい実施例が詳しく説明され、添付された図面で明らかにされている。可能な場合には、必ず同じ参照番号は、同一もしくは同様の箇所については図面を通して使用される。
【００４８】
一般的に製氷装置は、使用者が希望した時、供給された水を所定のサイズに凍らせ、使用者に氷を供給するよう外部に排出する装置である。
前記製氷装置は使用者の選択によって、粉砕した氷または粉砕されていない氷を使用者に提供する。
【００４９】
一般的に前記製氷装置は、冷蔵庫に備えられ、浄水機のような飲用装置などに備えることができる。
【００５０】
以下、前記の機能をする製氷装置において、氷を外部に排出して使用者に提供するディスペンサーの好ましい実施例を図６ないし図１５を参照して説明する。
【００５１】
図６乃至図８を参照すれば、本発明による製氷装置のディスペンサーの第1実施例は、前記冷蔵庫の外部ケースの正面を成すドアに提供されるディスペンシングアセンブリー３００、そして前記ディスペンシングアセンブリーの下側に提供される容器支持台４００を含めてなる。
以下、前記ディスペンシングアセンブリー３００を介して、外部に氷または水が提供されることを供給メカニズムといい、前記ディスペンシングアセンブリー及び前記支持部が移動することを駆動メカニズムという。
また、前記駆動メカニズムのうち、前記ディスペンシングアセンブリー３００が前記冷蔵庫ドアの外部ケースの外部に移動可能な構成を第１の駆動メカニズムといい、前記支持部４００が前記冷蔵庫ドアの外部ケースの外部ケースの外部に移動可能な構成を第２の駆動メカニズムという。
【００５２】
前記ディスペンシングアセンブリー３００は、前記製氷機で作られた前記氷が排出される通路である。前記通路は前記氷を排出しない時には、前記氷が外部に露出しないように閉じられることが望ましい。
【００５３】
言いかえれば、前記ディスペンシングアセンブリー３００は、前記製氷機側から氷が投入される入口と氷が排出される出口を有する。
【００５４】
前記ディスペンシングアセンブリーに汚物が積もることを防止するため前記氷を排出しない時には前記出口を閉鎖するようにすることが望ましい。
【００５５】
前記ディスペンシングアセンブリーの構造を見ると、前記ディスペンシングアセンブリー３００は、前記ドアの内壁に形成され、また前記ドアの外壁方向に下向き延長する通路を備える入口３１１を有する第１シュート３１０、そして氷が排出される場合には前記第1シュート３１０と連通し、外部に露出する出口３２１ａを持つ第２シュート３２１が備えられたスライディング部材３２０からなる。
【００５６】
更に詳しくは、前記スライディング部材３２０は、氷が排出される時、前記ドアの前方に移動して前記ドアの前方に移動して前記ドア１の正面に垂直に突出して第１の位置に位置するようになり、この時前、記第２シュート３２１は前記第１シュート３１０と連通する。
【００５７】
一方、氷が排出されない時には、前記スライディング部材３２０は前記ドア１の外面に形成された溝に挿入される第２の位置に位置する。この場合、前記スライディング部材３２０が前記ドア面の外に突出せず、また、前記スライディング部材が円滑に移動するようにガイドレールを含むことが望ましい。
ここで、前記スライディング部材３２０はまた、手動で挿入及び引き出し去れるようにドアのハンドルを備える。
【００５８】
また、前記スライディング部材３２０の後面と前記溝の間に備えられ、前記スライディング部材の後面に力を加えるスプリングや油圧手段（図示せず）を備える。前期ディスペンサーは前記スライディング部材を拘束する締め具を備える。前記締め具を解除すれば前記スライディング部材が前記ドアの前方に引き出される。前記スライディング部材の前面に力を加えれば、前記溝に挿入されて前記締め具によって固定される。
【００５９】
上述とは反対に、前記スライディング部材３２０は自動的に挿入及び排出するように成り立つこともできる。 このために、前記スライディング部材は下面に形成されるラック３２２と、そして前記ラック３２２の下部に設置されるピニオン３２３とからなる。コントロール部によって駆動するモーター（図示せず）が前記ピニオン３２３を回転する。
【００６０】
即ち、使用者が氷を希望し、前記コントロール部（図示せず）に備えられた取り出しボタンを押せば、前記モーターが前記ピニオン３２３及びラック３２２を回転させ、前記スライディング部材３２０が前方に動くことで前記スライディング部材３２０が突出する。前記ドアの前記第１シュート３１０と第２シュート３２１は氷を排出するため連結される。前記氷の排出過程が終われば、前記モーターが逆回転し、前記スライディング部材３２０を前記溝内部に挿入して前記アイスシュート部３００が閉鎖される。
上述のように、前記ディスペンシングアセンブリーのスライディング部材を移動させる構成を便宜上第一の移動部材という。また、前記スライディング部材が前記第２の位置に移動するように動力を提供することを位置手段という。
【００６１】
前記の構造からなる製氷装置のディスペンサーは更に、一端が前記スライディング部材の正面の下端に結合し、他端が前記ドア１の正面に固定するカバー部３２５を更に備える。前記カバー部３２５は前記アイスシュート部３００の外装を覆うと同時に前記スライディング部材の上面に汚物が積もることを防止する。
【００６２】
そして、使用者が水または氷が含まれた水を希望する場合、前記容器支持台４００に備えられた容器に水を供給するように前記カバー部３２５と前記ドア１の間には水供給管３２６が提供されることが望ましい。
また、前記水供給管３２６は、図７及び図８に図示したように、前記スライディング部材３２０が前記冷蔵庫ドアの外部ケースの外部に突出するとき、延長されるように構成することができる。また、図８に示したように、前記水供給管３２６の先端出口は、前記スライディング部材３２０が前記冷蔵庫ドアの外部ケースの外部に突出するとき、外部に露出されるようになる。
【００６３】
前記容器支持台４００には、排出される氷を収容する容器が前記ディスペンシングアセンブリーの下側に提供される。
前記容器支持台４００は、前記ディスペンシングアセンブリー３００を通じて氷が外部に排出される場合に前記外部ケースの前面を成すドア１に提供され、前記ドア１の正面に垂直に突出する。
【００６４】
これに対し、氷が排出されない時、前記容器支持台は前記ドアに形成された溝４０１に挿入されている。この場合、前記容器支持台が前記ドア面の外に突出しないよう、そして前記溝には前記容器支持台が円滑に動けるようにガイドレールが設けられることが望ましい。
【００６５】
ここで、前記容器支持台４００は手動で挿入及び取り出しすることができるように正面に取っ手（図示せず）を備える。
【００６６】
また、前記ディスペンサーでは、前記スライディング部材３２０と前期容器支持台の後面を押す前記溝との間に備えられたスプリングや油圧手段（図示せず）、そして前記スライディング部材を拘束する締め具を備える。前記閉め具を解除すれば前記スライディング部材が前方に引き出される。前記スライディング部材の前面に力を加えれば、前記スライディング部材は前記溝に挿入され、前記締め具によって固定される。
【００６７】
これとは反対に、前記容器支持台は自動的に挿入と取出しが可能である。このために前記容器支持台は、前記スライディング部材のようび、表面下部に備えられたラック、そして前記ラックの下部に備えられ、回転可能なピニオンを含む。
【００６８】
このため、前記スライディング部材は表面下部に備えられたラック３２２と、前記ラックの下部に備えられ、コントロール部で駆動されるモーターで回転し、前記ラックに噛み合わされたピニオンを含む。
【００６９】
即ち、使用者が氷を希望する場合、取り出しボタンを押せば、 前記モーターが前記ピニオン及び前記ラックを回転し、前記容器支持台は前方に移動されて前記ドアの前方に突出する。氷の排出過程が終われば、前記モーターが逆回転して前記スライディング部材３２０を前記溝内部に閉じ込む。
上述のように、前記支持部を移動させる構成を第２の移動部材という。
前記の構成からなる製氷装置のディスペンサーにおいて、前記容器支持台４００は前記スライディング部材３２０より先に取り出されることが望ましい。
【００７０】
即ち、前記容器支持台が引き出された後、前記容器支持台上に前記容器を備え、そして前記スライディング部材が引き出されて氷を排出する構造からなることが望ましい。
【００７１】
次に、本発明の第２実施例による製氷装置のディスペンサーを図９乃至図１０を参照して説明する。
【００７２】
図９を参照すれば、前記製氷装置のディスペンサーでは、前記冷蔵庫の前記ドア１の内面に形成される入口３５１と、前記ドアの外面に形成される出口３５２を持つ氷排出管３５０、前記出口３５２を開閉するように前記ドアの外面に提供されるカバー部３６０そして前記氷排出管を通じて排出された前記氷を収容する容器が安着する容器支持台４５０とを備える。
【００７３】
前記入口３５１は、前記出口３５２の上側に形成され、前記製氷機から投入された氷が重力によって排出されるように取り付けられる。
前記カバー部３６０は、上端３６１を中心に回転可能になるように、上端が前記冷蔵庫ドア１に連結されている。
【００７４】
また、前記カバー部３６０は、前記氷排出管の前記出口３５２側通路内部に前記氷を挿入するように、前記氷排出管の前記出口に触れる前記カバー部の表面内側部位に提供される補助管３６２を含めてなる。
【００７５】
前記補助管３６２は、前記カバー部が上向き回転した時氷が排出されるように、下部に氷通過ホール３６３を含めてなる。
【００７６】
即ち、前記カバー部３６０が回転すれば、前記補助管３６２の氷通過ホール３６３が前記氷排出管３５０の外部に露出し、氷が排出される。この場合、前記補助管の先端３６４は前記氷排出管の外部に露出しないように成り立つ。
【００７７】
前記カバー部３６０は、使用者が手動で開閉することもできるが、第２実施例では前記氷排出管の前記出口は自動的に開閉される。
【００７８】
一方、前記容器支持台４５０は、前記カバー部の下側に提供され、前記冷蔵庫ドアの正面に連結された回転可能な一端を有する。
【００７９】
氷が排出される場合、前記容器支持台４５０は、下端４５１を中心に下向き回転して前記ドア１の正面に垂直に突出する。
【００８０】
そして、氷が排出されない場合、前記ドアの正面に接続された前記下端４５１を中心に上方に回転する。
【００８１】
図示してはいないが、本実施例において、前記容器支持台と前記カバー部は外観のために半円形からなる。
【００８２】
また、氷を排出しない時、前記容器支持台とカバー部が前記ドアの正面から突出しないように、前記ドアの外壁には前記カバー部と前記容器支持台の形象と等しい溝からなることが望ましい。
尚、本発明は氷を排出しない時 前記カバー部ではなく、前記容器支持台が前記アイスシュート部を直接開閉する。
【００８３】
前記容器支持台４５０は、自動的に回転し、前記外部ケース外壁と連結する端に水平に設置される回転軸、前記回転軸に備えられる被駆動ギア、そして前記被駆動ギアと噛み合わされる駆動ギアを含めてなる。このような構造は本発明の第４実施例で更に説明する。
【００８４】
そして、前記駆動ギアはコントロール部（図示せず）によって作動するモーターによって回転する。
前記回転方法は、前記カバー部３６０の回転にも適用可能である。
【００８５】
前述と異なり、前記ドアの外壁の中で前記カバー部の内側に位置する部分１ａと前記カバー部３６０は一体に形成され、前記補助管３６２の上部が前記カバー部３６０と一体化した前記ドアの外壁上の前記部分１ａからなることもできる。
【００８６】
前記のような構造を持つ製氷装置のディスペンサーが図１１に図示されている本発明の第３実施例である。本発明の第３実施例において、第３実施例の構造を除いた他の構成は、前記第２実施例と等しいので説明を略する。
【００８７】
尚、前記容器支持台４６０は図１２乃至図１４のように前記カバー部３６０を覆う。
前記のような構造からなるものが本発明の第４実施例である。本発明において、次で説明される以外の構成は前記第２及び第３実施例と同じである。
【００８８】
本発明において、図１４で示すように前記製氷装置のディスペンサーでは、前記容器支持台４６０と前記カバー部３６０を連結する連結部材５００を含めてなることができる。
【００８９】
前記連結部材５００は、一端が前記カバー部３６０の下端側面に繋がり、他端は前記容器支持台４６０の側面に繋がる。
このために、前記連結部材は、一端が前記カバー部の下端側面に回転可能に繋がれる上部連結部５０１、そして一端が前記上部連結部の下端に回転可能に繋がり、他端は前記容器支持台の側面に回転可能に繋がれる下部連結部５０２を含めてなる。
【００９０】
前記と異なり、前記連結部材５００は柔軟なストリング５０３からなることもできる。
そして、前記連結部材５００は、前記氷排出のために前記容器支持台が前記外部ケースの外壁と直角に下向きに回転する時、前記容器を有する前記容器支持台の重さを支持するように前記カバー部と平行になる。
【００９１】
前記容器支持台４６０は自動的に回転する。このために前記容器支持台４６０は、前記外部ケース外壁と繋がる端に水平に取り付けられる回転軸４６１と、 前記回転軸に備える被駆動ギア４６２と、そして前記被駆動ギアと噛み合わされて被駆動ギアを回転させる駆動ギア４６３とからなる。
【００９２】
前記の構成を有する製氷装置のディスペンサーでは次の過程により動作する。
先ず、使用者が氷を希望し、前記取出しボタンを押せば、前記容器支持台４００、４５０、４６０が前記冷蔵庫ドアの前面に垂直に備えられる。
【００９３】
このために、本発明の第１実施例おける前記容器支持台４００は前記ピニオンの回転によって前記ドア正面から取り出され、前記第２ないし第４実施例に備えられた前記容器支持台４５０、４６０は前記ドアの正面に垂直に取り付けられた前記駆動ギアによって下向き回転する。
【００９４】
次に、前記ディスペンシングアセンブリー３００、３５０が開放された時、前記氷が外部に排出されて前記容器支持台に備えた容器に収容される。使用者はこれを使って飲み物に入れたり、食べ物に使ったりする。
前記アイスシュートの開放過程は、前記ですでに説明したので、詳細な説明は略する。
【００９５】
使用者が要する量の氷が排出された時、実施例に従い、前記容器支持台は前記ドアに形成された溝内部に挿入されるか、前記駆動ギアによって上向き回転して前記ドアの正面に水平に密着する。
そして、前記アイスシュート部は前記容器支持台やカバー部によって出口が閉鎖される。
【産業上の利用可能性】
【００９６】
前記のような構成からなる本発明の効果を要約すれば次の通りである。
第１に、本発明によれば、前記容器支持台または前記アイスシュート部の占める空間が最小化されるので、冷蔵庫または氷を排出する機能を有する装置の内部空間を最大化できる。
【００９７】
第２に、本発明によれば、前記容器支持台または前記アイスシュート部の占める空間が最小化されるので、前記冷蔵庫または氷を排出する機能を有する装置の全体の大きさを最小化できる。
【００９８】
第３に、本発明によれば、通路に汚物が積もることを防止するため、前記氷が排出されない場合は、氷を排出する通路に提供される前記アイスシュート部の前記出口が完全に遮られる。
【００９９】
第４に、本発明によれば、前記アイスシュート部と前記容器支持台が外部に突出するか、陷沒することがなく、外観を美麗に向上させる。
【０１００】
発明の意図、もしくは範囲から逸脱することなく、本発明において様々な改良や変化があることは、当業者にとっては明らかである。
故に、本発明は、付随の特許請求の範囲及び均等論の範囲内に属する発明の改良と変化を網羅することを意図するものである。
【符号の説明】
【０１０１】
１  ドア
１ａ  部分
１０  製氷機
１１  製氷室
１１ａ  突起物
１２  給水部
１３  コントロール部
１４  イジェクト
１４ａ  イジェクトフィン
１５  連結部
１７  ヒーター
２０  アイスバンク
２１  アイスリムーバ
２２  モーター
２３  氷粉砕部
２４  氷排出口
３０  ディスペンサー
３５  容器支持台
３００  アイスシュート部
３１０  第１シュート
３１１  入口
３２０  スライディング部材
３２１  第２シュート
３２１ａ  出口
３２２  ラック
３２３  ピニオン
３２５  カバー部
３２６  飲用水供給管（飲料水供給管？）
３５０  氷排出管
３５１  入口
３５２  出口
３６０  カバー部
３６１  上端
３６２  補助管
３６３  氷通過ホール
３６４  先端
４００  容器支持台
４０１  溝
４５０  容器支持台
４５１  下端
４６０  容器支持台
４６１  回転軸
４６２  被駆動ギア
４６３  駆動ギア
５００  連結部材
５０１  上部連結部
５０２  下部連結部
５０３  ストリング
【図１】
0004903836.tif 000002
【図２】
0004903836.tif 000003
【図３】
0004903836.tif 000004
【図４】
0004903836.tif 000005
【図５】
0004903836.tif 000006
【図６】
0004903836.tif 000007
【図７】
0004903836.tif 000008
【図８】
0004903836.tif 000009
【図９】
0004903836.tif 000010
【図１０】
0004903836.tif 000011
【図１１】
0004903836.tif 000012
【図１２】
0004903836.tif 000013
【図１３】
0004903836.tif 000014
【図１４Ａ】
0004903836.tif 000015
【図１４Ｂ】
0004903836.tif 000016